(57)【要約】舗装および／またはパネリング用モジュールの製造方法であって、モジュール（１）の位置決めグリッド（２０）により予め区画されたレイアウトによる好適なテンプレート（１８）内に複数のブロックまたは嵌石（２４）を配置し；貫通孔を備えた可撓性材料のレヤー（４５）をモジュール（１）の輪郭にマッチしかつモジュール（１）より大きい片にカットし；かつ永久的固着手段により固着する工程を包含し、ブロックまたは嵌石（２４）の各々に対する可撓性材料のレヤー（４５）がモジュール（１）を形成し、従ってそれらがレヤー（４５）によりそれら相互間の角度変更の可能性を持って互いに保持されている、製造方法である。
2004530821.tif 000002
【特許請求の範囲】
【請求項１】
舗装および／またはパネリング製造のための方法であって：
−−モジュール（１）の境界を定める位置決めグリッド（２０）により区画された予め定められたレイアウトにより、好適なテンプレート（２８）内へ複数のブロックまたは嵌石を配置し；
−−上記モジュール（１）の輪郭に適合しかつ上記モジュール（１）より大きい寸法となるように貫通開口を持つ可撓性材料のレヤー（４５）のピースを切り出し；
−−永久固着手段（１２）により可撓性材料の上記レヤー（４５）を上記モジュール（１）を形成している上記ブロックまたは嵌石（２４）のそれぞれに固着して、可撓性材料の上記ピース（４５）によりそれらの相互角変更の可能性付きで互いに保持されるように固着する、工程を包含している、方法。
【請求項２】
上記ブロック（２４）は上記テンプレート（１３）上にそれらの底面が上を向くように配置されていることを特徴とする、請求項１による方法。
【請求項３】
可撓性材料の上記ピース（４５）が上記ブロック（２４）上に配置されていることを特徴とする、請求項１または２による方法。
【請求項４】
ロック用カバー（２５）が上記テンプレート（１８）上に重ねられかつ補足テンプレートとして作用して、上記ブロック（２４）を上記テンプレート（１８）上にロックしかつ上記ピース（４５）を上記ブロック２４上に平坦に保持していることを特徴とする、請求項３による方法。
【請求項５】
可撓性材料の上記ピース（４５）が貫通開口を備えかつ接着材料により上記ブロック（２４）のそれぞれの底部に組み合わされていることを特徴とする、請求項１による方法。
【請求項６】
可撓性材料の上記ピース（４５）を上記ブロック（２４）に対して固着する前に、上記ブロック（２４）の底部に上記接着材料の粘着を進めるために上記ブロック（２４）の底部上にプライマーを散布しかつ乾燥する工程を包含していることを特徴とする、請求項５による方法。
【請求項７】
上記接着材料のセッテイングを加速するために乾燥工程を包含していることを特徴とする、請求項６による方法。
【請求項８】
上記ブロック（２４）の底部に対する上記プライマーのより良い粘着を確保するために上記ブロック（２４）の洗浄のイニシャル工程を包含していることを特徴とする、請求項６または７の何れかによる方法。
【請求項９】
上記ピース（４５）がひとたび上記ブロック（２４）の底部に固着され、上記テンプレート（１８）から上記ロック用カバー（２５）を取り外す工程を包含していることを特徴とする、前記請求項の何れかによる方法。
【請求項１０】
前記請求項の何れかによる方法実施のための装置であって、支持フレーム（３）と、複数の連続配置された作業ステーション（４０、４８、４９、５６、５７）および上記作業ステーション（４０、４８、４９、５６、５７）を通して連続しているコンベヤー（４）を備えているものにおいて、上記作業ステーション（４０、４８、４９、５６、５７）の各々を通してモジュール（１）を通すために上記コンベヤー（４）上に配置され得る少なくとも１個の可動ユニット（５）を包含し、かつ上記作業ステーションのひとつ（４９）が可撓性材料のピース（４５）を上記モジュール（１）の底部に対して確実保持するための永久結合手段適用のための器具を包含していることを特徴としている、装置。
【請求項１１】
上記可動ユニット（５）が上記コンベヤー（４）上に配置されるように設計された可動搬送トレー（６）と；上記可動搬送トレー（６）上に配置されるべきテンプレート支持トレー（８）であって少なくとも１個の関連テンプレート（１８）が上記テンプレート支持トレー（６）上に配置され得るようにされているテンプレート支持トレーと；上記テンプレート支持トレー（６）上に関連テンプレート（１８）またはその各々を固定するように設計されたロック用カバー（２５）とを包含していることを特徴とする、請求項１０による装置。
【請求項１２】
上記関連テンプレート（１８）が意図された構成要素により形成されたグリッド（２０）を包含し、これにより上記モジュール（１）を形成するために上記関連テンプレート（１８）上へのブロックまたは嵌石の配置作業を簡素化することを特徴とする、請求項１１による装置。
【請求項１３】
上記カバー（２５）が関連テンプレートまたはその各々のための補助テンプレートとして作用しかつその上に重ねられて上記ブロック（２４）を上記グリッド（２０）内にロックしかつ可撓性材料の上記ピース（４５）を上記ブロック（２４）上に平坦に広げることを特徴とする、請求項１１または１２による装置。
【請求項１４】
永久固着手段に適用するための上記器具が粘着材料のための計測器具を包含していることを特徴とする、請求項１０ないし１３の何れかによる装置。
【請求項１５】
上記モジュール（１）を形成している上記ブロック（２４）の各々の底部上に上記粘着材料を分配するための上記計測器具および上記可動ユニット（５）の間の相対運動を包含していることを特徴とする、請求項１４による装置。
【請求項１６】
粘着材料のための上記服用量設定器具が上記可動ユニット（５）に対して２個の互いに直角な方向に可動であることを特徴とする、請求項１４または１５による装置。
【請求項１７】
上記服用量設定器具の下流に乾燥ステーション（４８）を備えていて上記粘着材料の乾燥を加速するようにしたことを特徴とする、請求項１４または１５による装置。
【請求項１８】
上記ブロックまたは嵌石（２４）の洗浄のための器具（４３）を包含していることを特徴とする、請求項１４ないし１７の何れかによる装置。
【請求項１９】
上記洗浄器具（４３）が加圧液体供給のための装置を包含していることを特徴とする、請求項１８による装置。
【請求項２０】
上記加圧液体供給装置の下流側に乾燥システムを包含していることを特徴とする、請求項１９による装置。
【請求項２１】
上記洗浄器具が一連のブラシ（４３）を包含し、これらのブラシが上記ブロック（２４）の底部上に存在し得る不純物を乾燥工程中に除去するのに適していることを特徴とする、請求項１８による装置。
【請求項２２】
永久ロック手段を供給するための上記器具が機械的保持要素の少なくとも１個のアプリケーターを包含していることを特徴とする、請求項１０ないし１３の何れかによる装置。
【請求項２３】
少なくとも１個のブロックまたは嵌石（２４）を包含している前記請求項の何れかによる道路舗装材および／または外装材のためのモジュールであって、貫通開口を備えた可撓性材料（４５）のレヤーおよびブロックまたは嵌石（２４）または各々と可撓性材料の上記レヤー（４５）の間の永久連結のための手段（１２）を包含していることを特徴とする、モジュール。
【請求項２４】
可撓性材料の上記レヤー（４５）がネットにより構成されていることを特徴とする、請求項２３によるモジュール。
【請求項２５】
上記ブロックまたは嵌石（２４）の２個またはそれより多いユニットを包含し、これらの嵌石が選択された構成により配置されかつそれらの相互傾斜変化の可能性付きで上記ネット（４５）の手段により保持されていることを特徴とする、請求項２３または２４によるモジュール。
【請求項２６】
上記ネット（４５）が上記モジュール（１）と同じ形を持つようにかつ上記モジュール（１）より大きい形にカットされていることを特徴とする、請求項２３ないし２５の何れかによるモジュール。
【請求項２７】
上記永久連結手段が粘着性材料を包含していることを特徴とする、請求項２３ないし２６の何れかによるモジュール。
【請求項２８】
上記粘着性材料がＥＶＡ（エチール  ビニール  アセテート）および合成樹脂に基づく熱溶解性粘着材または合成粘着材を包含していることを特徴とする、請求項２７によるモジュール。
【請求項２９】
上記連結手段が機械的保持要素を包含していることを特徴とする、請求項２３ないし２６の何れかによるモジュール。
【請求項３０】
上記機械的保持要素が少なくとも１個のステープルを包含していることを特徴とする、請求項２９によるモジュール。
【請求項３１】
上記機械的保持要素が少なくとも１個のリベットを包含していることを特徴とする、請求項２９によるモジュール。
【請求項３２】
上記機械的保持要素が少なくとも１個のねじアンカーを包含していることを特徴とする、請求項２９によるモジュール。
【請求項３３】
請求項２３ないし３２の何れかによるモジュールであって、上記モジュール（１）のための複数個の構造を包含し、複数個の構造はパターンまたは構成要素を形成するために組み合わされており、パターンは何回も同様に繰り替えされ、かつ被覆されるべき面の寸法に依存する大きさであることを特徴とする、モジュール。
【請求項３４】
上記パターンまたは構成要素が対照アーク様に形成されていることを特徴とする、請求項３３によるモジュール。
【請求項３５】
上記パターンまたは構成要素が円様に形成されていることを特徴とする、請求項３３によるモジュール。
【請求項３６】
上記パターンまたは構成要素が複合ファン様に形成されていることを特徴とする、請求項３３による予め組み合わされているモジュール。
【発明の詳細な説明】
【技術分野】
【０００１】
本発明は舗装および／またはパネリング用モジュール製造のための方法および装置に関する。
【背景技術】
【０００２】
ブロックまたは嵌石の手段によるモザイク様パターンの舗装は一般に砂またはセメントのベッド上に一時に単一ブロックまたは嵌石を手で並べることにより行われている。
【０００３】
個々のブロックが配置されて全体として幾何学的な形の装飾的パターン、例えばアーク、円または複合ファン形を作る方法は被覆されるべき面の寸法により多数回同様に繰り替えされる。
【０００４】
ブロック配置を割り当てられた作業者は専門家でなければならず、その理由はこれらの幾何学的形の創出には個々のブロックを最適結果が得られるように早く並べるのに長い作業経験と特殊技能が必要であるからである。
【０００５】
現在行われているブロック配置方法の不具合はそれが現場でかつ専門家により行われなければならず、長い製造時間と高い労働コストを要することである。
【０００６】
現在の配置技術による舗装および／またはパネリングの別の不具合は、単一のブロックおよび／またはモザイク嵌石の取り外しが隣接要素の動くためのスペースを残し、比較的短時間内に取り外し、これにより合成品の一体化を確保していることである。
【発明の開示】
【発明が解決しようとする課題】
【０００７】
本発明の主たる目的はブロックまたは嵌石の手段による舗装および／またはパネリングのための新しい方法を提供し、その方法は専門家の使用を必要とせず、これにより施行コストの顕著な減少をもたらすことにある。
【０００８】
本発明の別の目的は舗装および／またはパネリングのためのモジュールの量産装置を提供し、それにより大きい面を短時間内に被覆することが可能となり、一方、配置作業をより単純化しかつ速くすることにある。
【０００９】
本発明の別の目的は多数の異なる形状のモジュールの量産を許容し、これらのモジュールが互いに組み合わせることができかつ傾斜面および垂直面のためにも多数の装飾的パターンの製造に適していることにある。
【００１０】
本発明の別の目的は面の不揃いがカバーされかつ最終製品の一体化が確保されたモジュールを提供し、これにより隣接ブロックの動きおよび漸次の分離を起こす単一ブロックの外れを防止することにある。
【００１１】
本発明の別の目的はひとたび配置されると耐久性がありかつ特に機械的応力および環境変化に対する顕著な抵抗を確保したモジュールを提供することにある。
【００１２】
本発明の別の目的は透水性がありかつ雨水の排水が可能でありしかもベッドからの砂の流出を防止する舗装システムを提供することにある。
【００１３】
本発明の別の目的は一人のオペレーターにより容易に持ち上げられかつ搬送され得るモジュールを提供することにある。
【課題を解決するための手段】
【００１４】
本発明の第１の形態によると、舗装および／またはパネリングモジュール製造のための方法が提供されており、その方法は以下の工程を包含している：
−−モジュールの境界を定める位置決めグリッドにより区画された予め定められたレイアウトにより、好適なテンプレート内へ複数のブロックまたは嵌石を配置し；
−−上記モジュールの輪郭に適合しかつ上記モジュールより大きい寸法となるように貫通開口を持つ可撓性材料のレヤーのピースを切り出し；
−−永久固着手段により可撓性材料の上記レヤーを上記モジュールを形成している上記ブロックまたは嵌石のそれぞれに固着して、可撓性材料の上記ピースによりそれらの相互角変更の可能性付きで互いに保持されるように固着する。
【００１５】
有利には、上記方法は、上記レヤーを上記ブロックの底部に剛直に結合する前に、上記結合手段の接着を促進するためにプライマーを上記ブロックの底部に散布する工程を備えている。
【００１６】
本発明の別の形態によると、前記方法実施のための装置が提供されており、その装置は、支持フレームと、複数の連続配置された作業ステーションおよび上記作業ステーションを通して連続しているコンベヤーを備えているものにおいて、上記作業ステーションの各々を通してモジュールを運ぶために上記コンベヤー上に配置され得る少なくとも１個の可動ユニットを包含し、かつ上記作業ステーションのひとつが可撓性材料のピースを上記モジュールの底部に対して確実保持するための永久結合手段適用のための器具を包含している。
【００１７】
有利には、上記可動ユニットが上記コンベヤー上に配置されるように設計された可動搬送トレーと、上記可動搬送トレー上に配置されるべきテンプレート支持トレーであって少なくとも１個の関連テンプレートが上記テンプレート支持トレー上に配置され得るようにされているテンプレート支持トレーと、上記テンプレート支持トレー上に関連テンプレートまたはその各々を固定するように設計されたロック用カバーとを包含している。
【００１８】
本発明の別の形態によると、舗装および／またはパネリングのための少なくとも１個のモジュールが備えられ、このモジュールが少なくとも１個のブロックまたは嵌石を包含しているものにおいて、モジュールが貫通開口を有する可撓性材料のレヤーおよび可撓性材料の上記レヤーをブロックまたは各ブロックに剛直に結合するための永久的固着手段を包含していることを特徴としている。
【００１９】
有利には、可撓性材料の上記レヤーがメッシュ付きネットを包含している貫通開口を備えている。
【００２０】
便利には、上記モジュールが予め定められた構成に従って配置された上記ブロックまたは嵌石の２個またはそれより多くを包含しており、かつ上記ネットにより共に保持されている。
【発明を実施するための最良の形態】
【００２１】
添付図面において、同じまたは同様な部分または部品は同じ関連数字で表示されている。
【００２２】
まず図１ないし図８において、関連数字１は一般的モジュールを表示しており、モジュール１の製造のための方法はフレーム３を包含した装置２を要し、フレームは一連の可動ユニット５を動かすように配置された連続コンベヤー４を支持している。
【００２３】
各可動ユニット５は図２内に示されている可動搬送トレー６を包含しており、この搬送トレーはコンベヤー４のガイド７に沿ってスライドしかつ図３内に示されているようなテンプレート支持トレー８を支持するように設計されている。
【００２４】
可動搬送トレー６は正方形プラットフォーム９により構成されることができ、このプラットフォームはその上面１０上の２個の並行な隆起ガイド１１およびその各４隅の垂直な位置決めピン１２を備えている。
【００２５】
各位置決めピン１２はラック形側面または前面１３を備えかつそのラック形側面がガイド１１に関して同じ側の隣接コーナー内に位置しているピンのラック形前面に向かうように方向付けられている。
【００２６】
図３内に示されているテンプレート支持トレー８はその下面１４上に２個の真っ直ぐかつ並行な溝１５を備え、これらの溝は使用中には搬送トレー６のガイド１１に沿ってスライドするように設計されている。
【００２７】
またテンプレート支持プレート８はその上面に周縁リム１６を備え、このリムは凹入内面１７を区画している。
【００２８】
例えば図８内に示されているような形の関連テンプレート１８が、使用中には、凹入面１７上に配置される。
【００２９】
アルミニューム、スチールまたはプラスチックで作り得る関連テンプレート１８は全種類のテンプレートに共通な外側支持フレーム１９、および位置決めグリッド２０を備え、このグリッドはモジュール１に対して与えられるべき形に従って変化する。
【００３０】
図８内に示されている特殊なケースにおいては、一連のリブ２１を備え、これらのリブは図６内に示されている対称アーク６０様に形成された構成要素の、図７内に示されている左モジュール２２の形を生み、これにより図１内に示されているブロックまたは嵌石２４が配置されるべきスペース２３を区画している。
【００３１】
図４はロック用カバー２５を描写しており、このカバーは中央開口２７の境界を定めている外側境界２６により構成されており、この外側境界はテンプレート支持トレー８の凹入面１７より小さい。
【００３２】
外側境界２６はその４隅に広い領域２８を備え、それらの領域には、使用中に、ロック用カバー２５が搬送トレー６上に重ねられたときに位置決めピン１２と係合する雌要素として作用するように配置された貫通開口２９が設けられている。
【００３３】
境界２６の各肩部３０および３１上には図５内に示されているタイプのロック用器具３２が設けられており、このロック用器具は１対のロッド３３および３４により構成され、これらのロッドは整列されかつ対応する肩部上にブラケット３５手段により装着されかつ長手方向へ僅かにストローク可能とされている。
【００３４】
ロッド３３および３４はそれらの端部でばね３６により連結されており、ばねは中央支持シリンダー３７を備え、このシリンダーは両ロッドを予め定められた距離に保つように設計されている。
【００３５】
このロック用器具３２を使用するためにはばね３６の付勢力に抗して両ロッド３３および３４を互いに近付けるように動かす必要があり、ひとたびロック用カバー２５がテンプレート支持トレー８上に配置されると、両ロッドを解放して２個の楔形ロッド３３および３４の外側端部３８を夫々の対向する位置決めピン１２のラック形前面１３に噛み合わせ、これによりカバー２５の上方への動きを阻止する。
【００３６】
図１内に示されているように、可動ユニット５は装置２の作業ステーション４０内に準備されかつ当初は搬送トレー６およびテンプレート支持トレー８のみで構成されている。
【００３７】
オペレーター４１はテンプレート支持トレー８上に関連テンプレート１８を配置することができ、このテンプレートは図７のモジュール２２のようなモジュールの提供に適している。
【００３８】
同じオペレーター４１は作業ステーション４０の近傍内に配置されているコンテナー４２内から入手可能なブロック２４をグリッド２０の内側に配置することができ、その配置はブロックの底部を上に向けて置きかつグリッド２０を構成しているリブ２１で区画されたスペース２３を完全に満たすように試みることにより行われる。
【００３９】
ブロック２４がテンプレート１８上に配置された後に、オペレーター４１にはブロック２４の底面に存在する可能性のある不純物の清掃作業が与えられ得る。ブロック２４の清掃のためにはオペレーター４１の手の届く範囲内の作業ステーション４０の近傍に配置されているスチール製剛毛４３付き回転ブラシの使用が可能である。
【００４０】
代わりに、同じ清掃作業はブロック２４に加圧水ジェットを加えることにより実施することもでき；その場合には次の乾燥工程を、例えばホットエヤーのジェットを採用することにより行うことが必要であり；この解決方法は図１内には示されていない。
【００４１】
可動ユニット５が作業ステーション４０内にある間に、その上に好ましくはプライマー４４が散布され；上記プライマーは例えば溶剤形態の石油系樹脂および／またはロジンを含みかつブロック２４の底部上の粘着材料の接着力を増すように設計されている。この作業もまた、オペレーター４１の手動によりまたは好適なプライマー供給器具（図１内には示されていない）により実施可能である。
【００４２】
それからオペレーター４１はテンプレート１８上に、かつ従ってその中に配置されたブロック２４上に予めカットされているネット４５片を置くが、ネットは製造されるべきモジュールの輪郭と同じ輪郭を持ちかつ上記モジュールより大きい寸法を備えてモジュールの外形から予め定められた量だけ突出するようにカットされている。
【００４３】
可動ユニット５の準備を完了するために、ロック用カバー２５がテンプレート支持トレー８上に配置され、これは搬送トレー６のピン１２をカバー２５の貫通開口２９内に挿入することにより行なわれる。この方法において、ロック用カバー２５のフレーム２６はテンプレート１８をテンプレート支持トレー８上に２個のロック用器具３２でロックする。
【００４４】
ひとたび可動ユニット５の準備が完了すると、オペレーター４１はそれをコンベヤー４のイニシャルステーション４６上に配置し、コンベヤーは制御ユニット４７により制御されているので、可動ユニットを予め定められた製造サイクルに従う一連の作業ステーションへ連続して搬送する。
【００４５】
好ましくは、制御ユニット４７により制御されているコンベヤー４は、与えられたモジュール１を図１内には示されていないホットエヤージェット付きの乾燥器具４８を通過させて、プライマー４４の充分な乾燥を確保しかつ材料を次の接着工程に適した温度へと加熱する。
【００４６】
ひとたび乾燥工程が終了すると、制御ユニット４７は可動ユニット５を作業ステーション４９へ前進させるための制御信号を送る。可動ユニット５が作業ステーション４９へ到達すると、ネット４５をブロック２４の底部に剛直に固着させるために永久固着手段供給用器具５０が起動される。
【００４７】
好ましくは、粘着性材料の供給器５０が使用されており、この供給器は計量器具（図示されていない）を備えかつ制御により２個の直角な方向ＸおよびＹに沿い自由に移動可能な好適な機械式アーム５２および５３上に装着されている。
【００４８】
この方法において、粘着性材料、例えばＥＶＡ（エチール  ビニール  アセテート）および合成樹脂を含むホットメルトタイプまたは合成接着剤であり得る粘着性材料が、制御ユニット４７の制御により所定ポイントに置かれかつ通常はネット４５の結節部５４がブロック２４の底部に固着されるように分配される。
【００４９】
有利には、新たに置かれた粘着性材料を乾かすための工程が用意され；その場合には、製造中のモジュール１は、例えば一連のホットエヤージェット（図示されていない）付き別の乾燥器具５６へ前進させられる。
【００５０】
製造サイクルはこの点において可動ユニット５を作業ステーション５７へ前進させるように構成されており、そこではオペレーター５８が最終製品の品質をチェックし、かつもしモジュール１が予め定められた特性に適合すれば、それを貯蔵部へ排出するコンベヤーベルト５９へ搬送する。
【００５１】
完了モジュール１の作業ステーション５７からコンベヤー５９への搬送はオペレーター５８により行われ得るが、彼は次の梱包または貯蔵工程のためにモジュールをひっくり返し得る。
【００５２】
図７内および図９ないし２３内に示されているように、一般的モジュール１は斑岩、花崗岩または石様または人造材料で作られたブロックまたは嵌石２４で構成され得る。
【００５３】
図６内に示されている対称アーク６０のように形成された構成要素の左側モジュールを描写している図７内のモジュール２２の独特なケースにおいては、使用中に構成要素６０の中央部分を占めるように設計されているブロック６１が横のブロック６２より大きいことが注目されるであろう。
【００５４】
更に、図７のモジュール２２および図９ないし図１４内に示されているモジュールは階段形側部６３を備えこの側部は、使用中には、対称アーク構成要素６０の２個の横縁のひとつを区画するように設計されており；２個の近接したアーク６０に属する２個の隣接モジュールは対応する横側部６３を順に配置することにより組み合わされ、これにより互いに貫通して完成品の一体化に加えて自己ロック効果を確保する。
【００５５】
図７のモジュール２２および図９ないし図１３のモジュールに関する限り、階段形エッジ６３の反対側の横鋸歯エッジ６４は凹部６５および突起６７の交替配置により構成され、これは対としての組合せを許容することにより理解され、即ち、対は左モジュール２２を右モジュール６８と、左モジュール６９を右モジュール６８と、右イニシャルモジュール７０を左モジュール２２と、左最終モジュール７１を右モジュール６８と、かつ右最終モジュール７２を左モジュール２２と組み合わせることで構成される。その代わりに図１４の横モジュール９５は階段形エッジ６３の反対側の直線状横エッジ９６を備えており、何故ならばそれは被覆されるべき面の境界を区画するための要素として作用するからである。
【００５６】
もし構成要素が図１５内に示されている構成要素７３のような円形であると、図１６のモジュール７４は単一品でありかつ円の１／４を意味している。モジュール７４はブロック２４により形成されている同心円アーク７５の連続により構成されておりブロックの寸法は円の中心に向かい減少している。また夫々図１７、１８および１９内に示されているように、角張ったモジュール７６および２個の横モジュール、即ち左モジュール７８および右モジュール７９がある。
【００５７】
図２０の複合ファン８０様に形成された構成要素は２個の横モジュール、即ち図２１内のような左モジュール８１および図２２内のような右モジュール８２、および図２３の中央モジュール８３で構成されている。
【００５８】
図２３内に示されている標準中央モジュール８３も２個のモジュールで構成されることができ、それらは夫々図２４内に示されている左半分８４、および図２５内に示されている右半分８５である。
【００５９】
ファン形合成品８０の第２実施例は２個のモジュールのみ、即ち夫々図２６および２７内に示されている左モジュール８６および右モジュール８７のみで構成されており、それらの各々は既に中央モジュール８３の左半分８４および右半分８５を含んでいる。
【００６０】
夫々図２８、２９、３０および３１内に示されている左および右のプレファブモジュール８９および９０および左および右の横閉塞モジュール９１および９２はファン形合成品８０の両実施例に共通である。
【００６１】
舗装および／またはパネリングのためのプレファブモジュール製造のための方法および装置は添付請求の範囲により限定された範囲内で多数の修正および変更が可能である。
【図面の簡単な説明】
【００６２】
本発明の更なる形態および利点は最近好まれている実施例の以下の詳細な記述からより明らかにされるが、これらの実施例は非限定的な例として添付図面に関連して示されている。
【００６３】
【図１】本発明により予め組み立てられたモジュールの製造のための装置の平面図である。
【図２】可動搬送トレーの斜視図である。
【図３】テンプレート搬送トレーの斜視図である。
【図４】ロック用カバーの斜視図である。
【図５】図４のロック用カバーの詳細斜視図である。
【図６】対称形アーク状構成要素の平面図である。
【図７】図６の構成要素の左側モジュールの平面図である。
【図８】図７のモジュールを製造するための関連テンプレートの平面図である。
【図９】図６の構成要素の右側モジュールの平面図である。
【図１０】図６の構成要素の左側イニシャルモジュールの平面図である。
【図１１】図６の構成要素の右側イニシャルモジュールの平面図である。
【図１２】図６の構成要素の左側イニシャルモジュールの平面図である。
【図１３】図６の構成要素の右側最終モジュールの平面図である。
【図１４】図６の構成要素の横閉塞モジュールの平面図である。
【図１５】円形構成要素の平面図である。
【図１６】図１５の構成要素のモジュールの平面図である。
【図１７】図１５の構成要素のコーナーフレーム付きモジュールの平面図である。
【図１８】図１５の構成要素の左側フレーム付きモジュールの平面図である。
【図１９】図１５の構成要素の右側フレーム付きモジュールの平面図である。
【図２０】複合式ファン状構成要素の平面図である。
【図２１】図２０の構成要素の左側モジュールの平面図である。
【図２２】図２０の構成要素の右側モジュールの平面図である。
【図２３】図２０の構成要素の中央モジュールの平面図である。
【図２４】図２０の構成要素の左側半分中央モジュールの平面図である。
【図２５】図２０の構成要素の右側半分中央モジュールの平面図である。
【図２６】別の実施例による図２０の構成要素の左側モジュールの平面図である。
【図２７】図２６のモジュールに組み合わせ得る右側モジュールの平面図である。
【図２８】図２０の構成要素の左側最終モジュールの平面図である。
【図２９】図２０の構成要素の右側最終モジュールの平面図である。
【図３０】図２０の構成要素の左側横閉塞モジュールの平面図である。
【図３１】図２０の構成要素の右側横閉塞モジュールの平面図である。
【国際公開パンフレット】
2004530821.tif 000003
2004530821.tif 000004
2004530821.tif 000005
2004530821.tif 000006
2004530821.tif 000007
2004530821.tif 000008
2004530821.tif 000009
2004530821.tif 000010
2004530821.tif 000011
2004530821.tif 000012
2004530821.tif 000013
2004530821.tif 000014
2004530821.tif 000015
2004530821.tif 000016
2004530821.tif 000017
2004530821.tif 000018
2004530821.tif 000019
2004530821.tif 000020
2004530821.tif 000021
2004530821.tif 000022
2004530821.tif 000023
2004530821.tif 000024
2004530821.tif 000025
2004530821.tif 000026
2004530821.tif 000027
2004530821.tif 000028
2004530821.tif 000029
2004530821.tif 000030
【国際調査報告】
2004530821.tif 000031
2004530821.tif 000032
2004530821.tif 000033